(57)【特許請求の範囲】
【請求項１】
帯状の正極シート及び帯状の負極シートが帯状のセパレータを挟んだ状態で巻回された巻回型の電極体が、前記電極体の巻回軸方向に垂直な断面が矩形をしたケースに収容された蓄電装置であって、
前記ケースは前記電極体の巻回軸方向における一方の端部に正極端子と負極端子とを有し、
前記電極体の巻回軸方向と平行な方向に延びる前記ケースの４つの角部のうち少なくともいずれか一つの角部には、前記ケースの内面と前記電極体の外周面との間にできる空間に、前記電極体の巻回軸方向と平行な方向に延びる柱状又は筒状の導電部材が設けられ、
前記電極体には、前記一方の端部側に、前記正極シートの活物質非塗布部及び前記負極シートの活物質非塗布部のいずれか一方が突出形成され、前記電極体の巻回軸方向の他方の端部側に、他方の前記活物質非塗布部が突出形成され、
前記一方の端部側に設けられた前記活物質非塗布部は、前記正極端子又は前記負極端子のうち前記一方の端部側に設けられた前記活物質非塗布部と同極側に電気的に接続され、
前記他方の端部側に設けられた前記活物質非塗布部は、前記導電部材に電気的に接続され、
前記導電部材は前記正極端子又は前記負極端子のうち前記他方の端部側に設けられた前記活物質非塗布部と同極側に電気的に接続されていることを特徴とする蓄電装置。
【請求項２】
請求項１に記載の蓄電装置の構成を備えた二次電池。
【発明の詳細な説明】
【技術分野】
【０００１】
本発明は、蓄電装置及び二次電池に係り、詳しくは巻回型の電極体が角型ケースに収容された蓄電装置及び二次電池に関する。
【背景技術】
【０００２】
二次電池やキャパシタのような蓄電装置は再充電が可能であり、繰り返し使用することができるため電源として広く利用されている。一般に、容量の大きな二次電池は四角箱形のケース（角型ケース）内に巻回型の電極体を収容している。電極体からの電力の取り出しは、正極及び負極に接続された電極端子を通して行われている。そして、二次電池は、複数個が並べられた状態で配線により直列あるいは並列に接続された状態で使用されることが多いので、接続作業等を容易にするために、正極端子及び負極端子が二次電池の同じ側の端部（上端部）に並べて配置されている。
【０００３】
従来、正極の活物質非塗布部が電極体の巻回軸方向の一方の端部に設けられ、他方の端部に負極の活物質非塗布部が設けられた巻回型の電極体として、電極体の上端部に上部集電体を、下端部に下部集電体を配置した構成において、下部集電体と電極端子とを接続するリード板での発熱を効率良く放熱する二次電池が提案されている（特許文献１参照）。この二次電池は、図８に示すように、巻回型の電極体（発電要素）５１の下端部で負極（図示せず）に接続固定された下部集電体５２から上方に引き出すリード板５３を、電極体５１の外周側面に配置し、リード板５３の上端部がリード金具５４になって負極端子５５にカシメ等により接続固定されている。電極体５１の上端部で正極（図示せず）に接続固定された上部集電体５６は、正極端子５７にカシメ等により接続固定されたリード金具５８に一体化されている。
【先行技術文献】
【特許文献】
【０００４】
【特許文献１】特開平１１−３３９７５７号公報
【発明の概要】
【発明が解決しようとする課題】
【０００５】
特許文献１の二次電池は、電極体５１の下端部に配置された下部集電体５２と、電極体５１の上部に配置されて負極端子５５に接続されたリード金具５４とを電気的に接続するリード板５３が、電極体５１の外周側面と電池ケース内面との間に沿って配置されるので、リード板５３での発熱を効率良く電池ケースの外部に放熱することができる。しかし、リード板５３を電極体５１の外周側面と電池ケース内面との間に配置するための空間を確保するために、電池ケースを大きくする必要があり、二次電池は体積エネルギー密度が低くなる。
【０００６】
本発明は、前記の問題に鑑みてなされたものであって、その目的は、ケースを大きくせずに、電極体の巻回軸方向の一端側に配置された電極端子に、電極体の巻回軸方向の他端側に位置する活物質非塗布部を電気的に接続するための導電部材を配置することができる蓄電装置及び二次電池を提供することにある。
【課題を解決するための手段】
【０００７】
前記の目的を達成するため、請求項１に記載の発明は、帯状の正極シート及び帯状の負極シートが帯状のセパレータを挟んだ状態で巻回された巻回型の電極体が、前記電極体の巻回軸方向に垂直な断面が矩形をしたケースに収容された蓄電装置である。そして、前記ケースは前記電極体の巻回軸方向における一方の端部に正極端子と負極端子とを有し、前記電極体の巻回軸方向と平行な方向に延びる前記ケースの４つの角部のうち少なくともいずれか一つの角部には、前記ケースの内面と前記電極体の外周面との間にできる空間に、前記電極体の巻回軸方向と平行な方向に延びる柱状又は筒状の導電部材が設けられている。前記電極体には、前記一方の端部側に、前記正極シートの活物質非塗布部及び前記負極シートの活物質非塗布部のいずれか一方が突出形成され、前記電極体の巻回軸方向の他方の端部側に、他方の前記活物質非塗布部が突出形成されている。前記一方の端部側に設けられた前記活物質非塗布部は、前記正極端子又は前記負極端子のうち前記一方の端部側に設けられた前記活物質非塗布部と同極側に電気的に接続され、前記他方の端部側に設けられた前記活物質非塗布部は、前記導電部材に電気的に接続されている。前記導電部材は前記正極端子又は前記負極端子のうち前記他方の端部側に設けられた前記活物質非塗布部と同極側に電気的に接続されている。
【０００８】
この発明では、ケースは電極体の巻回軸方向における一方の端部に正極端子と負極端子とを有し、正極シートの活物質非塗布部及び負極シートの活物質非塗布部のいずれか一方が電極体の一方の端部側に突出し、正極シートの活物質非塗布部及び負極シートの活物質非塗布部の他方が、電極体の他方の端部側に突出している。そのため、正極シート及び負極シートの一方は、活物質非塗布部を電極端子と電気的に接続するには、接続用の導電部材を電極体の巻回軸方向に延びる状態で設ける必要がある。導電部材は、電極体の巻回軸方向に延びる４つの角部のうちの少なくともいずれか一つの角部に、ケースの内面と電極体の外周面との間にできる空間に設けられている。したがって、従来技術と異なり、ケースを大きくせずに、電極体の巻回軸方向の一端側に配置された電極端子に、電極体の巻回軸方向の他端側に位置する活物質非塗布部を電気的に接続するための導電部材を配置することができる。また、導電部材は、電極体の巻回軸方向に延びるケースの角部におけるケースの内面と電極体の外周面との間にできる空間に配置されているため、導電部材での発熱を効率良くケースの外部に放熱することができる。
【０００９】
請求項２に記載の発明は、請求項１に記載の蓄電装置の構成を備えた二次電池である。したがって、この発明の二次電池は請求項１に記載の発明と同様の効果を有する。
【発明の効果】
【００１０】
本発明によれば、ケースを大きくせずに、電極体の巻回軸方向の一端側に配置された電極端子に、電極体の巻回軸方向の他端側に位置する活物質非塗布部を電気的に接続するための導電部材を配置することができる蓄電装置及び二次電池を提供することができる。
【図面の簡単な説明】
【００１１】
【図１】第１の実施形態の二次電池を示す図２のＡ−Ａ線における断面図。
【図２】蓋体及びナットを省略した平面図。
【図３】正極、負極及びセパレータの一部を展開した状態の電極体の模式斜視図。
【図４】（ａ）は正極用集電端子及び正極端子の概略斜視図、（ｂ）は負極用集電端子、負極端子及び導電部材を示す概略斜視図。
【図５】第２の実施形態の二次電池を示す蓋体及びナットを省略した平面図。
【図６】図５のＢ−Ｂ線における拡大部分断面図。
【図７】（ａ）は別の実施形態の二次電池を示す蓋体及びナットを省略した平面図、（ｂ）は電極体の概略斜視図。
【図８】従来技術を示す斜視図。
【発明を実施するための形態】
【００１２】
（第１の実施形態）
以下、本発明を具体化した第１の実施形態を図１〜図４にしたがって説明する。
図１に示すように、蓄電装置としての二次電池１０は、巻回型の電極体１１が、電極体１１の巻回軸方向に垂直な断面が矩形をしたケース１２に収容されている。ケース１２は電極体１１の巻回軸方向における一方の端部（図１における上端）に正極端子１３と負極端子１４とを有する。詳述すると、ケース１２は、ケース本体１２ａ及び蓋体１２ｂで構成され、正極端子１３及び負極端子１４は蓋体１２ｂに固定されている。
【００１３】
図３に示すように、電極体１１は、帯状の金属箔に正極活物質層１５ａが形成された正極シート１５と、帯状の金属箔に負極活物質層１６ａが形成された負極シート１６とが帯状のセパレータ１７を挟んだ状態で巻回された構成である。この実施形態では、セパレータ１７が２枚使用され、電極体１１の最外周にセパレータ１７が存在し、外周側から、セパレータ１７、正極シート１５、セパレータ１７、負極シート１６の順に層を成すように巻回されている。
【００１４】
正極シート１５及び負極シート１６は、幅方向の片側に一定幅の活物質非塗布部１５ｂ，１６ｂが存在するように正極活物質層１５ａ及び負極活物質層１６ａが塗布されており、両活物質非塗布部１５ｂ，１６ｂが電極体１１の巻回軸方向の反対側端部にそれぞれ配置される状態で巻回されている。正極シート１５及び負極シート１６は、同じ幅に形成されるとともに、正極活物質層１５ａ及び負極活物質層１６ａがセパレータ１７を挟んで対向する状態に配置されている。セパレータ１７は、正極活物質層１５ａ及び負極活物質層１６ａの幅より若干幅広に形成されており、電極体１１の巻回軸方向の一方の端部には活物質非塗布部１５ｂが位置し、他方の端部には活物質非塗布部１６ｂが位置するように正極シート１５、セパレータ１７及び負極シート１６が配置された状態で巻回されている。そして、電極体１１は、活物質非塗布部１６ｂがケース１２の他方の端部、即ち正極端子１３及び負極端子１４が設けられていない端部側に位置するように、ケース１２内に収容されている。即ち、電極体１１には、一方の端部側に、正極シート１５の活物質非塗布部１５ｂ及び負極シート１６の活物質非塗布部１６ｂのいずれか一方（この実施形態では活物質非塗布部１５ｂ）が突出形成され、電極体１１の巻回軸方向の他方の端部側に、他方の活物質非塗布部（この実施形態では活物質非塗布部１６ｂ）が突出形成されている。
【００１５】
図２に示すように、ケース１２内には、電極体１１の巻回軸方向と平行な方向に延びる角部における内面と電極体１１の外周面との間に４つの空間Ｓが形成され、そのうちの１つの空間Ｓに、電極体１１の巻回軸方向と平行な方向に延びる導電部材１８が設けられている。
【００１６】
図１に示すように、正極シート１５の活物質非塗布部１５ｂには正極用集電端子１９の溶接部１９ａが溶接で接合され、活物質非塗布部１５ｂは正極用集電端子１９を介して正極端子１３に電気的に接続されている。即ち、正極シート１５の活物質非塗布部１５ｂは、正極端子１３に電気的に接続されている。負極シート１６の活物質非塗布部１６ｂには、負極用集電端子２０の溶接部２０ａが溶接で接合されている。負極用集電端子２０は導電部材１８の一端（下端）に電気的に接続され、導電部材１８の他端は負極端子１４に電気的に接続されている。即ち、活物質非塗布部１６ｂは導電部材１８を介して負極端子１４に電気的に接続されている。
【００１７】
図４（ａ）に示すように、正極用集電端子１９は、溶接部１９ａ及び接続部１９ｂを備え、接続部１９ｂにおいて正極端子１３に接続された状態で、正極端子１３と一体に形成されている。正極端子１３は、蓋体１２ｂに形成された孔（図示せず）を貫通した状態で蓋体１２ｂに固定された状態において、蓋体１２ｂから突出する部分に雄ねじ部１３ａが形成され、蓋体１２ｂの内側に位置する部分に鍔部１３ｂが形成されている。
【００１８】
図４（ｂ）に示すように、負極用集電端子２０は、溶接部２０ａ及び接続部２０ｂを備え、導電部材１８及び負極端子１４と一体に形成されている。負極端子１４は、蓋体１２ｂに形成された孔（図示せず）を貫通した状態で蓋体１２ｂに固定された状態において、蓋体１２ｂから突出する部分に雄ねじ部１４ａが形成され、蓋体１２ｂの内側に位置する部分に鍔部１４ｂが形成されている。そして、負極端子１４は、基端側が導電部材１８の一端に連続し、導電部材１８の他端に負極用集電端子２０の接続部２０ｂが連続するように形成されている。
【００１９】
そして、図１に示すように、正極端子１３及び負極端子１４は、雄ねじ部１３ａ，１４ａに螺合するナット２１ａにより蓋体１２ｂに締め付け固定されている。雄ねじ部１３ａ，１４ａには、ナット２１ａの他にナット２１ｂが螺合されているが、ナット２１ｂは、複数の二次電池１０同士あるいは二次電池１０を電気機器に接続する接続部材や配線をナット２１ａと共同して電気的に接続するために使用される。なお、鍔部１３ｂ，１４ｂと蓋体１２ｂとの間及びナット２１ａと蓋体１２ｂとの間には図示しない電気的絶縁材製のシール部材が介装されている。
【００２０】
また、図２に示すように、正極端子１３は、ケース本体１２ａの四隅のうちの１つの空間Ｓと対向する位置に配置され、正極用集電端子１９の溶接部１９ａは、電極体１１の正極シート１５、負極シート１６及びセパレータ１７が直線状に延びる状態で巻回されている部分と平行に延びるように形成されている。負極端子１４は、正極端子１３が対向する状態で配置された空間Ｓと対角線上に位置する空間Ｓと対向する位置に配置され、負極用集電端子２０の溶接部２０ａは、電極体１１の正極シート１５、負極シート１６及びセパレータ１７が直線状に延びる状態で巻回されている部分と平行に延びるように形成されている。
【００２１】
次に前記のように構成された二次電池１０の作用を説明する。
二次電池１０は、単体でも使用されるが、一般には複数の二次電池１０が直列あるいは並列に接続されて構成された組電池として使用される。そして、二次電池１０は種々の用途に使用されるが、例えば、車両に搭載されて走行用モータの電源や他の電気機器の電源としても使用される。
【００２２】
巻回型の電極体１１を構成する正極シート１５及び負極シート１６は、活物質非塗布部１５ｂ，１６ｂが電極体１１の巻回軸方向の反対側端部に位置するように形成されており、二次電池１０の電極端子、即ち正極端子１３及び負極端子１４は、ケース１２の電極体１１の巻回軸方向における一方の端部に設けられている。そのため、正極シート１５及び負極シート１６の一方（この実施形態では負極シート１６）は、活物質非塗布部１６ｂを電極端子（負極端子１４）と電気的に接続するには、接続用の導電部材１８を電極体１１の巻回軸方向に延びる状態で設ける必要がある。導電部材１８は、電極体１１の巻回軸方向に垂直な断面が矩形をしたケース１２の、電極体１１の巻回軸方向と平行な方向に延びる角部における内面と電極体１１の外周面との間にできる空間Ｓに設けられている。したがって、従来技術と異なり、ケース１２を大きくせずに、電極体１１の巻回軸方向の一端側に配置された電極端子（負極端子１４）に、電極体１１の巻回軸方向の他端側に位置する活物質非塗布部１６ｂを電気的に接続するための導電部材１８を配置することができる。また、導電部材１８は、電極体１１の巻回軸方向と平行な方向に延びるケース１２の角部におけるケースの内面と電極体１１の外周面との間にできる空間Ｓに配置されているため、導電部材１８での発熱を効率良くケース１２の外部に放熱することができる。
【００２３】
この実施形態によれば、以下に示す効果を得ることができる。
（１）二次電池１０は、帯状の正極シート１５及び帯状の負極シート１６が帯状のセパレータ１７を挟んだ状態で巻回された巻回型の電極体１１が、電極体１１の巻回軸方向に垂直な断面が矩形をしたケース１２に収容された構成である。そして、ケース１２は電極体１１の巻回軸方向における一方の端部に正極端子１３と負極端子１４とを有し、電極体１１の巻回軸方向と平行な方向に延びるケース１２の４つの角部のうちの一つの角部における、ケース１２の内面と電極体１１の外周面との間にできる空間Ｓに、電極体１１の巻回軸方向に延びる導電部材１８が設けられている。電極体１１には、一方の端部側に、正極シート１５の活物質非塗布部１５ｂが突出形成され、電極体１１の巻回軸方向の他方の端部側に、負極シート１６の活物質非塗布部１６ｂが突出形成されている。電極体１１の巻回軸方向の一方の端部側に設けられた活物質非塗布部１５ｂは、正極端子１３に電気的に接続されている。電極体１１の巻回軸方向の他方の端部側に設けられた活物質非塗布部１６ｂは、導電部材１８に電気的に接続されている。したがって、従来技術と異なり、ケース１２を大きくせずに、電極体１１の巻回軸方向の一端側に配置された負極端子１４に、電極体１１の巻回軸方向の他端側に位置する活物質非塗布部１６ｂを電気的に接続するための導電部材１８を配置することができる。また、導電部材１８は、電極体１１の巻回軸方向に垂直な断面が矩形をしたケース１２の角部におけるケースの内面と電極体１１の外周面との間にできる空間Ｓに配置されているため、導電部材１８での発熱を効率良くケース１２の外部に放熱することができる。
【００２４】
（２）正極用集電端子１９に溶接される活物質非塗布部１５ｂ及び負極用集電端子２０に溶接される活物質非塗布部１６ｂは、それぞれタブ部ではなく、正極活物質層１５ａあるいは負極活物質層１６ａの全長に沿って形成されている。したがって、正極シート１５あるいは負極シート１６を構成する金属箔の一部を切断除去したり、タブ部を構成するため別に形成された金属箔を溶接したりする手間が不要になる。
【００２５】
（３）正極用集電端子１９及び負極用集電端子２０は、活物質非塗布部１５ｂ，１６ｂに溶接で接続される部分が、電極体１１の正極シート１５及び負極シート１６及びセパレータ１７が直線状に延びる状態で巻回されている部分と平行に延びるように形成されている。したがって、正極シート１５及び負極シート１６の湾曲部において正極用集電端子１９及び負極用集電端子２０をそれぞれ活物質非塗布部１５ｂ，１６ｂに溶接する場合に比べて、容易に溶接することができる。
【００２６】
（４）負極端子１４、導電部材１８及び負極用集電端子２０は一体に形成されている。したがって、負極端子１４、導電部材１８及び負極用集電端子２０をそれぞれ別体に形成し、嵌合固着あるいは締結により電気的に接続して一体化する構成に比べて、部品点数が少なくなるとともに、組み付けの手間が少なくなる。
【００２７】
（第２の実施形態）
次に第２の実施形態を図５及び図６にしたがって説明する。この実施形態の二次電池１０は、正極端子１３及び負極端子１４の配設位置がケース１２の四隅の空間Ｓと対向する位置ではない箇所に設けられている点が第１の実施形態と異なっており、その他の構成は同じである。第１の実施形態と同一部分は同一符号を付して詳しい説明を省略する。
【００２８】
図５に示すように、正極端子１３及び負極端子１４は、電極体１１の異なる湾曲部の外周寄りの部分と対向する位置にそれぞれ設けられている。正極用集電端子１９は、第１の実施形態の構造と基本的に同様であるが、正極用集電端子１９の屈曲方向が第１の実施形態と逆に形成されている。
【００２９】
一方、負極用集電端子２０は、第１の実施形態と同様な構成で、かつ導電部材１８の一端（下端）に一体に連続しているが、負極端子１４は、導電部材１８の他端（上端）に一体に連続して形成されてはおらず、連結部材２２を介して電気的に接続されている。図６に示すように、連結部材２２は、一端が負極端子１４の下端に嵌合され、他端が導電部材１８の他端（上端）に嵌合固着されている。連結部材２２は、導電部材１８の一端に一体形成された負極用集電端子２０の活物質非塗布部１６ｂに対する溶接が完了するまでは、導電部材１８と分離された状態で、一端が負極端子１４の鍔部１４ｂ側に固着された状態で保管されている。そして、負極用集電端子２０の活物質非塗布部１６ｂに対する溶接が完了後に、連結部材２２は他端が導電部材１８の上端に嵌合固着される。
【００３０】
この実施形態の二次電池１０も第１の実施形態の二次電池１０と同様に機能する。したがって、この実施形態においても、第１の実施形態の（１）〜（３），（５）と基本的に同様の効果を得ることができる他に次の効果を得ることができる。
【００３１】
（６）正極端子１３及び負極端子１４が二次電池１０の角部ではなく、一般の二次電池と同様の位置に配置されているため、使用に際してレイアウトを変更せずに同じ箇所に配置して使用することができる。
【００３２】
実施形態は前記に限定されるものではなく、例えば、次のように具体化してもよい。
○  電極体１１は長円柱状に限らず、例えば、図７（ａ），（ｂ）に示すように円柱状に形成したり、あるいは楕円柱状に形成したりしてもよい。電極体１１を円柱状に形成した場合は、長円柱状の場合と異なり、正極シート１５及び負極シート１６の活物質非塗布部１５ｂ，１６ｂは直線状に延びる状態で巻回されている部分が存在しないため、正極用集電端子１９及び負極用集電端子２０の溶接部１９ａ，２０ａが直線状に延びる平板の場合、溶接がし難い。この実施形態では、図７（ｂ）に示すように、活物質非塗布部１５ｂ，１６ｂにはそれぞれ金属箔を溶接してタブ部２３（正極シート１５の活物質非塗布部１５ｂに溶接されたもののみ図示）が形成されている。そして、正極用集電端子１９及び負極用集電端子２０は、図７（ａ）に示すように、接続部１９ｂ，２０ｂがケース本体１２ａの対角線に沿って延びるように形成され、図示しない溶接部１９ａ，２０ａは、タブ部２３と略平行に延びる平板状に形成されている。したがって、活物質非塗布部１５ｂ，１６ｂに、直線状に延びる状態で巻回されている部分が存在しなくても、タブ部２３において溶接部１９ａ，２０ａと容易に溶接することができる。なお、タブ部２３は、別に形成された金属箔を溶接して形成するのではなく、活物質非塗布部１５ｂ，１６ｂの一部を切り欠いた残りの部分で形成してもよい。
【００３３】
○  タブ部２３を設けずに、活物質非塗布部１５ｂ，１６ｂを正極用集電端子１９の溶接部１９ａあるいは負極用集電端子２０の溶接部２０ａに溶接する構成において、溶接部１９ａ，２０ａに溶接される活物質非塗布部１５ｂ，１６ｂの箇所の近くに切り込みを入れてもよい。切れ込みを入れることにより、活物質非塗布部１５ｂ，１６ｂの溶接される部分が溶接に適した位置まで変形し易くなる。
【００３４】
○  正極用集電端子１９及び負極用集電端子２０を同じ形状で、かつ正極端子１３及び導電部材１８とそれぞれ別体に形成した後、正極端子１３あるいは導電部材１８に嵌合固着や溶接等により、一体化してもよい。
【００３５】
○  導電部材１８の数は１つに限らず複数設けてもよい。例えば、電極体１１の容量が大きく、出力電流量が大きな状態で使用する二次電池１０の場合、導電部材１８を複数の空間Ｓにそれぞれ設けることにより必要な電流を支障なく出力する（取り出す）ことができる。
【００３６】
○  導電部材１８の形状は円柱状に限らない。例えば、三角柱状、四角柱状等の多角柱状や円筒状、角筒状、あるいは板状に形成してもよい。
○  負極端子１４、導電部材１８及び負極用集電端子２０は一体形成されたものに限らない。例えば、導電部材１８及び負極用集電端子２０は一体形成し、別体に形成した負極端子１４に、導電部材１８の端部を嵌合等で固定、あるいは溶接等で固着してもよい。
【００３７】
○  負極シート１６の活物質非塗布部１６ｂを正極端子１３及び負極端子１４の突出側と反対側に配置する代わりに、正極シート１５の活物質非塗布部１５ｂを正極端子１３及び負極端子１４の突出側と反対側に配置する構成としてもよい。この場合、正極用集電端子１９及び負極用集電端子２０の構成が、前記各実施形態における正極用集電端子１９及び負極用集電端子２０の構成と逆になる。即ち、電極体１１には、一方の端部側に、正極シート１５の活物質非塗布部１５ｂ及び負極シート１６の活物質非塗布部１６ｂのいずれか一方が突出形成され、電極体１１の巻回軸方向の他方の端部側に、他方の活物質非塗布部が突出形成されていればよい。そして、一方の端部側に設けられた活物質非塗布部は、正極端子１３又は負極端子１４のうち一方の端部側に設けられた活物質非塗布部と同極側に電気的に接続され、他方の端部側に設けられた活物質非塗布部は、導電部材１８に電気的に接続される。また、導電部材１８は正極端子１３又は負極端子１４のうち他方の端部側に設けられた活物質非塗布部と同極側に電気的に接続される。
【００３８】
○  車両は走行用モータを備えた一般の車両やフォークリフトに限らず、例えば、ショベルローダーやトーイングトラクター等の他の産業車両であってもよい。また、運転者を必要とする車両に限らず無人搬送車であってもよい。
【００３９】
○  蓄電装置は、二次電池１０に限らず、例えば、電気二重層キャパシタやリチウムイオンキャパシタ等のようなキャパシタであってもよい。
以下の技術的思想（発明）は前記実施形態から把握できる。
【００４０】
（１）請求項１に記載の発明において、前記電極体は長円柱状に形成され、前記導電部材は複数の前記空間に設けられている。
【符号の説明】
【００４１】
Ｓ…空間、１０…蓄電装置としての二次電池、１１…電極体、１２…ケース、１３…正極端子、１４…負極端子、１５…正極シート、１５ｂ，１６ｂ…活物質非塗布部、１６…負極シート、１７…セパレータ、１８…導電部材。
【図１】
0005720610.tif 000002
【図２】
0005720610.tif 000003
【図３】
0005720610.tif 000004
【図４】
0005720610.tif 000005
【図５】
0005720610.tif 000006
【図６】
0005720610.tif 000007
【図７】
0005720610.tif 000008
【図８】
0005720610.tif 000009